(57)【特許請求の範囲】
【請求項１】
発呼側モジュールと被呼側モジュールとの間で呼を搬送することを可能にする多重ビットレート伝送チャネル内でビットレート割当てを使用して呼をセットアップする方法であって、前記多重ビットレート伝送チャネルは、１次ビットレートに従う少なくとも１つの第１の伝送チャネルと、前記１次ビットレートとは異なる第２のビットレートに従う少なくとも１つの第２の伝送チャネルとを含み、前記呼が、
前記発呼側モジュールが呼出し信号を送信する第１のステップ（１１）と、
前記被呼側モジュールが応答信号を送信する第２のステップ（１２）と、
前記発呼側モジュールが、前記応答信号の肯定応答信号を送信する第３のステップと、
前記発呼側モジュールと前記被呼側モジュールとの間で伝送特性をネゴシエーションする第４のステップ（１８）とを含む設定プロセスに従って設定されており、前記方法は、
第１の１次ビットレート伝送チャネル上で、前記呼をデフォルトでセットアップする段階と、
２次ビットレート要件を示す信号を聴取および探索する段階（１３）と、
２次ビットレート要件を示す前記信号を検出したときには、
前記第１の１次ビットレート伝送チャネルから前記２次ビットレート伝送チャネルへ、ビットレートをスイッチングする段階（１１０）とを含み、前記ビットレートをスイッチングする段階は、前記肯定応答信号が送信されたときには該肯定応答信号の所定の期間（４３１）に対してマスクを行うステップ（１１１）を含むことを特徴とする方法。
【請求項２】
前記応答信号が、所定の最大応答持続時間中（４１４）、前記第４のネゴシエーションステップ（１８）に着手する前に前記被呼側モジュールによって送信され、前記肯定応答信号がもし送信されたときは、前記第４のネゴシエーションステップ（１８）が早く起動され、
前記マスクステップ（１１１）が、前記第４のネゴシエーションステップ（１８）の前記早期起動を抑止することを特徴とする、請求項１に記載の方法。
【請求項３】
前記発信側モジュールおよび前記被呼側モジュールがそれぞれ少なくとも１つのモデム（３１、３８）と協働し、前記被呼側モジュールによる前記応答信号を送信するための前記ステップ（１２）が、前記モデム（３１、３８）のうちの１つによって実行されることを特徴とする、請求項１または２に記載の方法。
【請求項４】
前記モデム（３１、３８）のうちの１つの前記応答信号の特性が、前記２次ビットレート要件を示すことを特徴とする、請求項３に記載の方法。
【請求項５】
前記被呼側モジュールによって送信される前記応答信号が、前記応答信号の規則正しい位相反転の形で、潜在的ビットレート容量の増加を示す１つの情報を搬送可能であり、
前記所定のマスク期間（４３１）の持続時間が、前記応答信号の少なくとも２つの位相反転に渡っており、
前記応答信号の第１の位相反転を検出するステップ（４１２）と、前記被呼側モジュールによって送信される前記応答信号の少なくとも１つの第２の位相反転を検出するステップ（４１３）とを含み、前記応答信号の前記第１および第２の位相反転を検出する前記ステップ（４１２、４１３）が、
前記第１の１次ビットレート伝送チャネルから前記２次ビットレート伝送チャネルへの、前記ビットレートスイッチング段階（１１０）が連続していること、
または、前記応答信号の前記第１および第２の位相反転のうち少なくとも１つを検出しなかった場合、前記スイッチング段階（１１０）を取り消し、前記第１の１次ビットレート伝送チャネル内で呼を維持することを条件とすることを特徴とする、請求項１から４のいずれか一項に記載の方法。
【請求項６】
前記応答信号がないことを検出するステップ（２６）を含み、第１の所定のしきい値を超える持続時間の間、前記応答信号の前記第２の位相反転が検出されるまでに前記応答信号がないことが検出されると、次いで前記スイッチング段階（１１０）が取り消され、呼は前記第１の１次ビットレート伝送チャネル内に維持されることを特徴とする、請求項５に記載の方法。
【請求項７】
２次ビットレート要件を示す前記信号が、約２，１００Ｈｚの第１の周波数にある第１の応答トーンからなることを特徴とする、請求項１から６のいずれか一項に記載の方法。
【請求項８】
前記肯定応答信号が、前記第１の周波数とは異なる第２の周波数にある第２の応答トーンからなることを特徴とする、請求項１から７のいずれか一項に記載の方法。
【請求項９】
前記肯定応答信号がもし送信されたときは前記マスクステップ（１１１）が、第１ネットワーク要素（３４）および第２ネットワーク要素（３６）と呼ばれる少なくとも２つのネットワーク要素を含む伝送システム（３０）内で実施されることを特徴とする、請求項１から８のいずれか一項に記載の方法。
【請求項１０】
前記第１のネットワーク要素（３４）が第１の標準に従う第１の伝送ネットワークに属し、前記第２のネットワーク要素（３６）が、前記第１の標準とは異なる第２の標準に従う第２の伝送ネットワークに属することを特徴とする、請求項９に記載の方法。
【発明の詳細な説明】
【０００１】
本発明の分野は、多重ビットレート伝送チャネルでの電話呼の伝送に関する方法である。
【０００２】
本発明は、特に、スター型またはハブアンドスポーク型構成のネットワークの周辺局を介した、中央局から端末局への多重ビットレートリンクの場合に特に適用可能である。
【０００３】
この種のネットワークは、典型的には、有線または無線のネットワーク内で設備不足の領域および／または潜在的加入者密度が低い領域にある、たとえば「地方」の電話基盤施設に対応する。
【０００４】
したがって典型的には、加入者は、中央局から自分が接続している周辺局までの第１の通信セクションのセットアップを介して、次いで周辺局から加入者の端末局までの第２のセクションのセットアップを介して接続される。
【０００５】
ここで、このようなネットワークのある種の構成では、伝送のモダリティが第１セクションと第２セクションとで同じではない。したがって、中央局から周辺局へのリンクはＴＤＭＡ（時分割多重アクセス）タイプの通信に対応するが、第２セクションは、たとえばＤＥＣＴ（デジタル欧州コードレス電話）標準などの異なる標準、あるいは移動電話（または任意の他の標準）との任意の他の無線通信標準を使用する場合がある。
【０００６】
異種セクションのシーケンスを備えたこの種のネットワークが、ある種の状況での管理に問題を提起する。
【０００７】
これはたとえば、この種のネットワークを使用している呼に関係する端末が、たとえば単純な音声呼と、モデムの介入を必要とするタイプのデータ転送（たとえばインターネットタイプのオープンネットワーク上での接続など）の、どちらを確立する必要があるかに応じて、異なるビットレート資源を要求する場合などである。この場合、音声呼の要求するビットレートの方がデータ転送のそれよりも低くなる。
【０００８】
第１の知られた方法は、資源に関する最大の要求に合致させることのできるビットレートを日常的に提供することである。ただしこの方法は、単純な音声通信の場合、たとえば割り当てられるビットレートが要求よりも大きくなるため、伝送チャネルが十分に活用されないことにつながる。
【０００９】
第２の方法は、多重ビットレートチャネルの使用、および各呼への最適なビットレートの選択的割当てからなる。ただし、特に、呼のセットアップおよびモデム間のネゴシエーションという初期の重要な段階において、モデムに関連する呼の制約に適合していない既存のビットレート割当て手順が複雑であることから、当分野の技術者はこの技法の使用には消極的である。
【００１０】
実際のところ、必要に応じて割当て回線のビットレートを変更するには、必要に応じて割り振られるビットレートを増やしたり減らしたりするために、ビットレートスイッチング手順を実施する必要がある。ただし、従来の伝送チャネルスイッチングは、２つのセクションで、ビットレートスイッチングが正確には同時でなく同期化されていないというリスクを伴うものである。その結果生じる妨害が、実際にモデム間で呼をセットアップするための手順を打ち切らせる場合があり、このリスクは、呼がセットアップされるときの１００％に近い成功率によって、かなりの信頼が期待されているスイッチングサービスという情況においては、許容できるものではない。
【００１１】
どちらか１つが多重ビットレート電話の加入者（発呼側または被呼側加入者）である、２つのモデム間での呼出し手順は、さらに、
・所与のビットレートに従った呼の設定（典型的には、たとえばＶ２５標準では３２ｋビット／秒）
・２つのモデムの接続
・２つのモデム間で伝送速度をネゴシエーションするための手順
・データ要素の転送、
という４段階に分けることができる。
【００１２】
Ｖ２５の推奨規格に従い、モデム接続段階はさらに以下のように分けることができる。
・発呼側モデムが、回線をつないで番号をダイヤルした後に、非中断呼出しトーンを被呼側モデムに送信する。
・被呼側モデムがこの呼を受け取って回線に接続し、沈黙の後、２，１００Ｈｚの連続信号で構成される応答トーンを送信する。
・場合によっては、モデムは、Ｇ１６４およびＧ１６５推奨規格に指定されているように、規則正しい間隔（典型的には４５０±２５ミリ秒毎）で位相反転を実行するかまたは実行しないことにより、ネットワークエコー消去および／または抑制デバイスを非活動状態にすることができる。
・発呼側モデムが、応答トーンを確認した後、被呼側モデムから来る７５±２５ミリ秒の沈黙を待ち、その後ネゴシエーション段階に入る。手順を加速させるために、この信号を認識する際この発呼側モデムは、発呼側モデムの肯定応答信号を送信することによって被呼側の応答を確認した旨を被呼側に通知し、被呼側モデムは応答トーンの送信を停止して、次いで７５＋２０ミリ秒の沈黙の後ネゴシエーション段階に入ることが可能である。発呼側モデムからの肯定応答信号がない場合、被呼側モデムは３．３秒±０．７秒長さの応答トーンを送信した後、７５±２５ミリ秒の沈黙の後、ネゴシエーション段階に入る。
【００１３】
モデムが最小ビットレートで動作できるようにするためには、モデム間でのネゴシエーション手順を開始する前に、ビットレートのスイッチング（主に伝送チャネルの変更）を終了させなければならない。
【００１４】
これは、以下の条件に合致するものであることを意味する。
ｉ）被呼側モデムの応答は、発呼側モデムがネゴシエーション段階に入ってしまう可能性があるので、５５ミリ秒より長い間中断させないこと。
ｉｉ）応答トーンの検出は、Ｇ１６５推奨規格に指定されているように、回線上に応答が出現した時点を起点として最高２００ミリ秒に等しい時間間隔が経過する前に実行しなければならない。一般に、応答トーンの検出は、Ｖ２５、Ｇ１６４、およびＧ１６５の推奨規格に合致しなければならない。
ｉｉｉ）応答トーンは、推奨規格Ｖ２５に示されているように、回線上に応答トーンが出現した時点を起点として少なくとも２．６秒に等しい時間間隔の間に、被呼側モデムによって送信されなければならない。
ｉｖ）応答トーンは、１００ミリ秒に等しい時間間隔の間、中断されないものとする。
ｖ）応答トーンのいかなる位相反転もない場合（この場合、伝送ネットワークのエコー抑制デバイスのみを非活動状態にしなければならない）、このような位相反転のない状態は、回線上に応答トーンが出現した時点を起点として最高４７５ミリ秒に等しい時間間隔に渡って観察されなければならない。
ｖｉ）応答トーンの位相反転がある場合（この場合、伝送ネットワークのエコー消去デバイスと抑制デバイスとを非活動状態にしなければならない）、Ｇ１６４およびＧ１６５の推奨規格に記載されているように、第１の位相反転の存在は、回線上での応答トーンの検出時点を起点として最高４７５ミリ秒に等しい時間間隔が経過する前に発生しなければならず、第２の位相反転も、回線上に応答トーンの第１の位相反転が出現した時点を起点として最高４７５ミリ秒に等しい時間間隔が経過する前に発生しなければならない。
【００１５】
本発明は、特に、矛盾する可能性のあるこれらの制約情況に属するものである。
本発明の目的は、資源の割当てを最適化できるようにする、呼のセットアップ方法を提供することである。
本発明の他の目的は、２つのモデム間で呼をセットアップするための手順によって規定された厳しい制約に適合する、この種のビットレート割当て方法を提供することである。
【００１６】
本発明の他の目的は、現在、呼のセットアップに関する標準手順で使用可能であり、加入者が要求した伝送の性質、またはこの加入者の呼に伴う伝送ビットレート要件のいずれについての高度な知識も特に必要とせずに作動されるものに加えて、追加または処理情報を必要としない、ビットレートスイッチング方法を提供することである。
【００１７】
本発明の他の目的は、本発明に従ったビットレートスイッチングが開始されたときに、初期の接続段階で、モデムがエコー抑制器およびエコー消去器の両方を中和することを求める状況に少なくとも合致する解決方法を提供することである。
【００１８】
本明細書に記載されたこれらの様々な目的ならびに他の目的は、中央モジュールとリモートモジュールとの間で呼を搬送することができる多重ビットレート伝送チャネル内でのビットレート割当てを使用した呼のセットアップ方法により、本発明に従って達成されるものであり、前記多重ビットレート伝送チャネルが、１次ビットレートに従った少なくとも１つの第１の伝送チャネルと、前記１次ビットレートとは区別される第２のビットレートに従った少なくとも１つの第２の伝送チャネルとを含み、前記方法が、発呼側モジュールと被呼側モジュールとの間で呼の搬送を実施するように特に設計されており、セットアッププロセスに従った呼のセットアップが、
・前記発呼側モジュールが呼出し信号を送信する第１のステップと、
・前記被呼側モジュールが応答信号を送信する第２のステップと、
・前記発呼側モジュールが、前記応答信号の肯定応答信号を送信する選択的な第３のステップと、
・前記発呼側モジュールと被呼側モジュールとの間で伝送特性をネゴシエーションするための第４のステップとを含み、
前記方法が、
・第１の１次ビットレート伝送チャネル上で、前記呼をデフォルトでセットアップするための段階と、
・２次ビットレート要件を示す信号を聴取および探索する段階と、
さらに２次ビットレート要件を示す前記信号を検出すると想定した場合は、
・前記第１の１次ビットレート伝送チャネルから、前記２次ビットレート伝送チャネルへ、ビットレートをスイッチングする段階とを含み、該ビットレートスイッチング段階は、もし前記肯定応答信号が送信されたときは該肯定応答信号の所定の期間に対するマスクのステップに関連付けられていることを特徴とする。
【００１９】
したがって、本発明の一般原理は、ビットレートを要件に合致させるように設計された伝送チャネルスイッチング動作を実行することからなる。
本発明により、応答信号の伝送中およびネゴシエーションステップの前に発生するこのスイッチングを実行するのに使用できる時間が常にあることに留意されたい。
【００２０】
実際、オプションである肯定応答信号の送信は、ネゴシエーションステップを早く起動させることが目的であることが想起されよう。その後応答信号は、所定の最大応答持続時間ではなく、より短い時間で送信される。その結果、以下の２つの状況が発生する可能性がある。
・肯定応答信号が送信されず、ネゴシエーションステップも早く起動されない。この場合、応答信号は、ビットレートスイッチングを実行するのに十分な最大応答持続時間の間に送信される。
・肯定応答信号が送信され、ネゴシエーションステップが早く起動される。この場合最大応答持続時間の間、すべて同様に応答信号が送信できるように肯定応答信号がマスクされる。したがって、マスクによりこの動作は前述の状況に戻り、ネゴシエーションステップが早く起動されないため、スイッチングを実行するのに十分な時間があることになる。
【００２１】
このスイッチングに従って、第１の伝送チャネルから第２の伝送チャネルへと進むことにより、被呼側モジュールと発呼側モジュールとの間でデータ要素を交換するために使用できる伝送資源が最適に使用される。
【００２２】
前記応答信号が、所定の最大応答持続時間中、前記第４のネゴシエーションステップに着手する前に前記被呼側モジュールによって送信され、前記肯定応答信号が送信された場合は、前記第４のネゴシエーションステップが早く起動されることが好ましい。次いで、前記マスクステップが、前記第４のネゴシエーションステップの前記早期起動を抑止する。
【００２３】
本発明の好ましい実施形態では、前記中央モジュールおよび前記リモートモジュールがそれぞれ少なくとも１つのモデムと協働し、前記被呼側モジュールによる前記応答信号を送信するための前記ステップが、前記モデムのうちの１つによって実行される。
【００２４】
前記モデムのうちの１つの前記応答信号の特性が、前記２次ビットレート要件を示すので有利である。言い換えれば、２次ビットレート要件を示す信号が、被呼側モデムによって送信される応答信号で識別され、その結果本発明はすでに存在する信号を使用するため、新しい特別な追加信号は不要となる。
【００２５】
前記被呼側モジュールによって送信される前記応答信号は、前記応答信号の規則正しい位相反転の形で、潜在的ビットレート容量の増加を示す情報を搬送できることが好ましく、
次いで、前記所定のマスク期間の持続時間が、前記応答信号の少なくとも２つの位相反転に渡っていることが好ましく、
さらに、この方法が、前記応答信号の第１の位相反転を検出するステップと、被呼側モジュールによって送信される前記応答信号の少なくとも１つの第２の位相反転を検出するステップとを含み、前記応答信号の前記第１および第２の位相反転を検出する前記ステップが、
・前記第１の１次ビットレート伝送チャネルから前記２次ビットレート伝送チャネルへの、前記ビットレートスイッチング段階が連続していること、
・または、前記応答信号の前記第１および第２の位相反転のうち少なくとも１つを検出しなかった場合、前記スイッチング段階を取り消し、前記第１の１次ビットレート伝送チャネル内で呼を維持することを条件とする。
【００２６】
ビットレートスイッチング段階の失敗が、第１の１次ビットレート伝送チャネル上での連続したデータ交換を指示することに留意されたい。
本発明の好ましい実施モードによれば、この方法は、前記応答信号がないことを検出するステップを含み、第１の所定のしきい値を超える持続時間の間、前記応答信号の前記第２の位相反転が検出されるまでに前記応答信号がないことが検出されると、次いで前記スイッチング段階は取り消され、呼は前記第１の１次ビットレート伝送チャネル内に維持される。
【００２７】
２次ビットレート要件を示す前記信号は、約２，１００Ｈｚの第１の周波数にある第１の応答トーンからなるので有利である。
前記肯定応答信号は、前記第１の周波数とは異なる第２の周波数にある第２の応答トーンからなることが好ましい。
【００２８】
もし前記肯定応答信号が送信された場合には前記マスクステップは、第１セクションおよび第２セクションと呼ばれる少なくとも２つのセクションを含む伝送システム内で実施されるので有利である。
本発明では、伝送システムに含まれるセクションの数および性質に関して、いっさいの制約を規定していない。ただし本発明は、伝送システムが少なくとも２つのセクションを含む場合に特に有用であることに留意されたい。
【００２９】
本発明の好ましい実施形態では、前記第１のセクションが第１の標準に従う第１の伝送ネットワークに属し、前記第２のセクションが、前記第１の標準とは異なる第２の標準に従う第２の伝送ネットワークに属する。
言い換えれば、２つのセクションは異なる性質を有する。ただし、本発明は、２つのセクションが均一である、すなわち同じ性質のものである場合にも適用可能であることに留意されたい。
【００３０】
特定の実施形態では、前記第１の標準はＴＤＭＡ標準であり、前記第２の標準はＤＥＣＴ標準である。
発呼側モジュールと被呼側モジュールとの間で使用される通信標準が、限定的な特性のものでないことは明白である。
【００３１】
前記スイッチング段階は、
・前記第１の１次ビットレート伝送チャネルから前記第２の２次ビットレート伝送チャネルへの、前記第２セクションの第１のスイッチングと、
・前記第１の１次ビットレート伝送チャネルから前記第２の２次ビットレート伝送チャネルへの、前記第１セクションの２つの終端の同時に発生する第２のスイッチングという、連続する動作を含むことが好ましい。
【００３２】
したがって、スイッチング段階が、発呼側モジュールと被呼側モジュールとの間での通常のデータ要素交換を妨げることはなく、したがって結果データの損失が生じない。
データ送信チャネルとデータ受信チャネルに関しては、発呼側モジュールと被呼側モジュールとの間に区別がないことに留意されたい。言い換えれば、第１のスイッチング動作と第２のスイッチング動作は、送信チャネルならびに受信チャネルに関する。
【００３３】
本発明の好ましい実施形態により、前記第１と第２のスイッチング動作は、接続モジュールと呼出しルーチンモジュールとの間の基本スイッチング動作を意味するものであり、前記基本スイッチング動作は、第２の所定のしきい値よりも短い持続時間の通信中断を意味するものである。
この方法で、モデムは、これらの呼中断の１つを、発呼側モジュールと被呼側モジュールとの間で伝送特性をネゴシエーションするための第４のステップへ進むことを示す信号として、早期に解釈してしまうことがない。
【００３４】
前記第２のスイッチング動作の前に、前記第１セクション内で、前記１次ビットレートに従った前記第１の伝送チャネルと平行して、特に前記２次ビットレートで第２の伝送チャネルをセットアップするためのステップが実行され、前記第１のスイッチング動作は、前記第２セクション内で直接実行されるので有利である。
言い換えれば、第１セクション内では、第１と第２の伝送チャネルが移行段階中に同時に存在する。これとは対照的に、第２セクション内では、どんな移行段階もなしに、チャネルからチャネルへと進む。前記第２のスイッチング動作の前に、前記第２セクションに最も近い前記第１セクションの終端から、前記第１セクションの他の終端まで、同期信号が送信され、その結果、前記第１セクションの前記第１の終端と第２の終端が、前記第２のスイッチング動作を同時に実行することが好ましい。
【００３５】
この種の同期信号は、第１セクションの終端のコミュテーション中、呼出し時に送信されるデータの損失を防ぐ。
本発明の特定の実施形態では、前記モデムはＶ２５推奨規格に従って動作する。
本発明の特定の実施形態によれば、前記スイッチング段階は、エコー抑制器および消去器を非活動状態にするためのステップを含み、前記非活動化ステップは、Ｇ１６４およびＧ１６５推奨規格に合致するものである。
【００３６】
前記応答信号を検出するための前記ステップが、前記所定の最大応答信号の検出期間が終了する前に発生すること、
前記応答信号の第１の位相反転を検出するためのステップが、前記所定の最大応答信号の第１の位相転換の検出期間が終了する前に発生すること、
前記応答信号の第２の位相反転を検出するためのステップが、前記所定の応答信号の第２の位相転換の検出期間が終了する前に発生すること、という条件のうち、少なくとも１つを満たしていることが好ましい。
【００３７】
前記方法が、
・前記所定の肯定応答信号の前記マスク期間が、前記応答信号の前記送信を起点として最大約２．６秒に等しいこと、
・前記所定の応答信号の前記検出期間が、前記応答信号の前記送信を起点として最大約２００ミリ秒に等しいこと、
・前記所定の応答信号の前記第１の位相反転の前記検出期間が、前記応答信号の前記送信を起点として最大約６７５ミリ秒に等しいこと、
・前記所定の応答信号の前記第２の位相反転の前記検出期間が、前記応答信号の前記第１の位相反転の前記検出を起点として、最大約４７５ミリ秒に等しいこと、
・前記第１の所定のしきい値が、最大約１００ミリ秒であること、
・前記第２の所定のしきい値が、最大約５５ミリ秒であること、というおおよその時間的値のうち、少なくとも１つを遵守していることが好ましい。
【００３８】
前記２次ビットレートが、前記１次ビットレートよりも大きいので有利である。
２次ビットレートが、デフォルトで割り振られた１次ビットレートよりも大きい場合、本発明は、利用可能なビットレート資源の割当てを最適化するのに好ましい適用例を発見することが明らかである。
本発明の特定の実施形態によれば、前記２次ビットレートは６４ｋビット／秒であり、前記１次ビットレートは３２ｋビット／秒である。
【００３９】
本発明の好ましい実施形態によれば、前記中央モジュールは、すべての呼の転送を管理する中央通信局からなり、前記リモートモジュールは端末局からなるものであって、前記中央モジュールおよび前記リモートモジュールは周辺モジュールを介して接続され、前記周辺モジュールは、前記第１セクションと第２セクションとの間の呼出し中に、相互接続を提供し交換データをマッチングする周辺通信局によって構成される。
【００４０】
前記方法は、
・前記第１セクションおよび／または前記第２セクション内で、前記中央モジュールと前記リモートモジュールとの間で伝送されるデータを、ＰＣＭ符号化技法からＡＤＰＣＭ符号化技法に符号化変換するのを停止するステップと、
・前記発呼側モジュールによって送信される前記肯定応答信号のマスクを解除するステップと、
・前記第１セクションおよび／または前記第２セクションに接続された、前記第１の１次ビットレート伝送チャネルの物理資源を解放するステップのうち、すくなくとも一部をさらに含むので有利である。
【００４１】
本発明は、前述のように呼をセットアップするための方法を実施するスイッチング方法にも関する。
本発明は、前述のように呼をセットアップするための方法を実施する伝送ネットワークセクションにも関する。
本発明の他の特徴および利点は、添付の図面を参照しながら単純かつ非限定的に示すように、本発明の好ましい実施形態についての以下の説明からも明らかである。
【００４２】
したがって本発明は、進行中のデータ通信動作を完了させられるようにする最適な通過帯域を自動的に再割り振りするのを特に可能にする、中央モジュールとリモートモジュールとの間の多重ビットレート伝送チャネル内で、呼をセットアップするための方法に関する。
【００４３】
以下の説明では、中央モジュールとリモートモジュールとがそれぞれモデムと協働している電話伝送チャネルの場合を考えてみる。さらに、反転を実施している伝送システムが、第１セクションおよび第２セクションと呼ばれる２つの直列に接続されたセクションを含むことを想定する。第１セクションは、ＴＤＭＡ標準に従った第１の伝送ネットワークに属し、第２セクションはＤＥＣＴ標準に従った第２の伝送ネットワークに属する。ただし、本発明は、セクションが１つの同じ伝送ネットワークに属する場合にも適用可能であり、伝送システムには、どのような数および／またはどのような性質のセクションも含めることができることが明らかである。
【００４４】
以下で説明する本発明の特定の実施形態によれば、呼をセットアップするための方法は、特に、伝送システムの各セクションを、ビットレートの小さい第１の伝送チャネルからビットレートの大きい第２の伝送チャネルにスイッチングすることにある。説明を単純化するために、以下では、関連付けられたビットレートのタイプを想起せずに、単に第１の伝送チャネルおよび第２の伝送チャネルと呼ぶものとする。このスイッチングは、伝送チャネルの第１の終端、すなわち被呼側モジュールによって構成される終端でのモデムの存在が、伝送チャネルの他方の終端、すなわち発呼側モジュールによって形成される終端で検出された時点からのみ可能である。
【００４５】
図１を参照しながら、本発明による、呼をセットアップするための方法の特定実施形態について説明する。
通常、ここで論じる方法は、中央モジュールとリモートモジュールとの間の多重ビットレート伝送チャネルにおいて、伝送チャネルに所与のビットレートを割り振ることで呼のセットアップを可能にするものである。場合によっては、一方が発呼側モジュール、他方が被呼側モジュールである。
【００４６】
呼をセットアップするための方法１０には、標準方法の場合でも、以下の連続するステップが含まれる。
・発呼側モジュールによって呼信号を送信するための第１のステップ１１には、たとえば周波数１，２００Ｈｚでの被呼側モジュールへの呼出しトーンの送信が含まれる。この第１の送信ステップ１１は、リモートモジュールが提供された電話加入者が、回線をつないで電話番号をダイヤルした後に実行される。この場合、被呼側モジュールは対応する回線をつなぐ。
・被呼側モジュールが応答信号を送信するための第２のステップ１２。所定の持続時間を有する沈黙の後、第２の送信ステップ１２の間に、被呼側モジュールは連続信号からなる応答トーンを、たとえば２，１００Ｈｚで発呼側モジュールに送信する。この応答信号の有無を検出すれば、モデムが発呼側モジュールと協働しているかどうかを知ることができる。
・発呼側モジュールが、応答信号に対する肯定応答信号を送信するための第３のオプションステップ１７。応答信号とは異なる周波数を有するこの肯定応答信号が、以下のステップの起動を予想しようとする。
・特に発呼側モデムと被呼側モデムとの間のデータ伝送速度などの、発呼側モジュールと被呼側モジュールとの間でのデータ伝送の特性をネゴシエーションするための、第４のステップ１８。この第４のネゴシエーションステップ１８は、被呼側モジュールによる肯定応答信号の肯定応答後、または発呼側モジュールによる応答信号の送信終了の検出後のいずれかに実行することができる。
【００４７】
本発明によれば、ビットレート割当てによって呼をセットアップするための方法１０は、以下の段階を含む。
・被呼側が中央モジュールであるかリモートモジュールであるかによって、第１の伝送チャネル上にデフォルトで呼をセットアップする段階。
・２次ビットレート要件を示す信号を聴取して探索する段階。この段階は、たとえば、発呼側モジュールが所定の特定の特性を有する信号を待つ、多重ビットレート伝送チャネルの所定の伝送チャネル上で送信されるデータ要素を循環精査するためのステップ１３である。２次ビットレート要件を示す信号は、たとえば、前述の応答トーンによって約２，１００Ｈｚの第１の周波数で形成され、被呼側モジュールによって送信される。
・特定の特性の有無を分析するためのステップ（１４）。
【００４８】
予測された特性が存在しない場合には、たとえば応答信号の送信を起点として起動されたタイムラグが終了したことを確認するために、分析（１５）が実行される。タイムラグが終了していない場合、データ要素を循環検査するためのステップ１３が繰り返される。そうでない場合、すなわちタイムラグが終了している場合、次いで、発呼側モジュールと被呼側モジュールとの間で伝送特性をネゴシエーションするための第４のステップ１８に進むよう提起するかどうか（１６）が判断される。進む場合、すなわち第４のネゴシエーションステップ１８を起動する時点に進みたい場合は、発呼側モジュールから被呼側モジュールへ、肯定応答信号（１７）が送信される。進まない場合は、第４のネゴシエーションステップ１８に進む前に、応答信号の送信開始を起点として起動された、タイムラグの終了（１１３）を待つ。
【００４９】
２次ビットレート要件を示す信号にこうした特定の特性がある場合には、第４のネゴシエーションステップ１８の出現を提起するかどうか（１９）が判断される。提起する場合、すなわち発呼側モジュールによって、肯定応答信号の送信が要求される場合（１６）は、次いで第１の伝送チャネルから第２の伝送チャネルへのビットレートスイッチング段階１１０に動作が渡る。このスイッチング段階１１０には、特にビットレートスイッチングステップ１１２本体（以下で詳細に説明）と、所定のマスク期間中に肯定応答信号をマスクするためのステップ１１１とが含まれる。「マスク」という用語は、抑止の意味であると理解される。肯定応答信号をマスクするためのステップ１１１は、ビットレートスイッチングステップ１１２本体をすべて完全に実施するのに必要な時間を残しておくように実施される。肯定応答信号を送信するための対応がない場合、ビットレートスイッチングステップ１１２本体が単独で直接実施されることは明らかである。
【００５０】
以下で、発呼側モジュールと被呼側モジュールとの間の伝送特性をネゴシエーションするための第４のステップ１８により、進行中の呼について、２次ビットレートに従ったデータの交換が可能になる。
ここで、図２の簡単な流れ図を参照しながら、上記で説明した方法のビットレートスイッチング段階１１０の特定モードの実施について記述する。
本明細書では、ビットレートスイッチング段階１１０に、伝送システムのエコー抑制器およびエコー消去器を非活動状態にするためのステップが含まれる場合について考察するものとする。
【００５１】
ビットレートスイッチングステップ１１２本体それ自体が、以下で論じる２１から２１２の参照番号が付けられたステップを含む。
第１に、基本の時間基準がセットアップできるように、被呼側モジュールにより応答信号の伝送時を起点としてタイムラグが起動される（２１）。
ステップ２２では、応答信号が送信される時点を起点とする第１の所定の期間が終了する前に、応答信号が発生したことを確かめるための分析が行われる。発生した場合は、次のステップ２３に進む。
【００５２】
このステップ２３では、応答信号が送信される時を起点とする第２の所定の期間が終了する前に、応答信号の第１の位相反転が発生することが確かめられる。  第２の期間が終了する前に第１の位相反転が現れると、次いで第２の伝送チャネルをセットアップするためのステップ２４が実行される。このステップ２４で、第１の伝送チャネルと平行して、第１セクション内で第２の平行伝送チャネルをセットアップすることが可能になる。したがって、第１セクションの終端のスイッチングが準備される。これを実行するために、たとえば、第２セクションに最も近い第１セクションの終端から、第２セクションから最も遠い第１セクションの終端まで、同期信号を送信することで、動作が開始される（２５）。この同期信号は、第１セクションの第１の終端と第２の終端とのスイッチングを同期化するのに使用される。
【００５３】
次いで、第１の所定のしきい値（Ｖ２５推奨規格によれば１００ミリ秒）よりも長い期間中断しないことを確かめるために、応答信号の有無を分析するためのステップ２６に進む。このような応答信号の中断が検出されなければ、第２の位相反転を検出するためのステップ２７に進む。
このステップ２７で、応答信号の送信時を起点とする第３の所定の期間が終了する前に、第２の位相反転が検出されることが確かめられる。
【００５４】
第１および第２の位相反転を検出するためのステップ２３および２７では、第１の伝送チャネルから第２の伝送チャネルへのビットレートスイッチング段階１１０が連続していることを条件とする。
第２の位相反転が、第３の期間が終了する前に発生した場合、次いで、伝送システムのエコー抑制器およびエコー消去器を非活動状態にするために、ステップ２８が実行される。このステップ２８は、特に推奨規格Ｇ１６４およびＧ１６５に合致するものである。
【００５５】
伝送システムのエコー抑制器およびエコー消去器を非活動状態にすることで、第１の伝送チャネルから第２の伝送チャネルへのスイッチング（本体）が開始される。
第１のスイッチング動作２９では、第２セクションのみに対して、第１のスイッチング動作が第１のスイッチング動作から第２のスイッチング動作へ直接実行される。言い換えれば、同時かつ第２セクションのみに対して、第１の伝送チャネルが解放され、第２の伝送チャネルが呼に割り当てられる。
【００５６】
次いで、第１セクション内で同期信号が修正される（２１０）（または一変形形態によれば、この信号の送信が停止される）。このようにして、第１セクションの２つの終端が、スイッチング動作を実施しなければならない所定の時刻を認識する。次いで、この所定の時刻で、第１セクションの２つの終端が、第１の伝送チャネルから第２の伝送チャネルへの第２のスイッチングを同時に実行する（２１１）。
すべての（第１および第２）セクションが必要なスイッチング動作を実行できるようにするために、肯定応答信号をマスクするためのステップ１１１は、最終セクションのスイッチングが実行されるまで特に延長される。言い換えれば、マスク期間の持続時間が、第２のスイッチング動作２１１が実行されるまで特に延長される。
【００５７】
障害が発生すると、自動的にステップ２１２に進み、第１セクションおよび第２セクション内で第１の伝送チャネルに呼を保持したまま、ビットレートをスイッチングするための段階１１０を取り消す。特に知られている障害状況には、
・分析ステップ２２の結果、第１の所定期間が終了する前に応答信号が検出されていないこと
・分析ステップ２３の結果、第２の所定期間が終了する前に第１の位相反転が検出されていないこと、
・分析ステップ２６の結果、第１の所定しきい値よりも大きい応答信号がないことが検出されていること、
・分析ステップ２７の結果、第３の所定期間が終了する前に第２の位相反転が検出されていないこと、
が挙げられる。
【００５８】
図３の簡略図に示されるように、伝送システム３０には、
・スイッチング電話網３２に接続された第１のモデム３１と、
・モジュール３３に接続されたスイッチング電話網３２と、
・第１セクション３４に接続された中央モジュールと呼ばれるモジュール３３と、
・モジュール３５に接続された第１セクション３４と、
・第２セクション３６に接続された周辺モジュールと呼ばれるモジュール３５と、
・モジュール３７に接続された第２セクション３６と、
・第２のモデム３８に接続されたリモートモジュールと呼ばれるモジュール３７と、
・第２のモデム３８の、
手段が含まれる。
【００５９】
第１のモデム３１および第２のモデム３８は、Ｖ２５推奨規格に従って動作する。
これらの手段３１から３８のうち少なくとも一部に、電話呼を接続しルートを指定するためのモジュール（図示せず）が含まれる。
ただし、本発明では、実施される接続およびルート指定モジュールの数および／または性質に関する制約についていっさい規定していないことに留意されよう。
【００６０】
第１のスイッチング動作２９および第２のスイッチング動作２１１は、特に、接続モジュールと呼のルート指定モジュールとをスイッチングするための基本動作を意味する。これらの基本スイッチング動作それ自体は、特に応答信号を妨害しないような、第２の所定しきい値よりも持続時間の短い呼の中断を意味する（この場合、スイッチング段階１１０は放棄される可能性がある）。この第２の所定しきい値は、たとえば推奨規格Ｖ２５に合致するように、約５５ミリ秒に等しい。
スイッチング電話網３２はそれ自体が知られているので、本明細書では説明しない。
中央モジュール３３について言えば、転送する必要のある電話伝送システム３０の呼の転送を管理する中央通信局によって構成される。
【００６１】
第１セクション３４および第２セクション３６に関しては、異なる伝送ネットワークに属している場合がある。本発明では、第１セクション３４および第２セクション３６それぞれの中でセットアップされる、リンクの数および／または性質に関する制約についていっさい規定していないことに留意されよう。
周辺モジュール３５は、たとえば特に相互接続を供給し、第１セクション３４と第２セクション３６との間で呼出し中に交換されるデータを付き合わせる、周辺通信局によって構成される。
【００６２】
この例では、１次および２次のビットレートが、たとえばそれぞれ３２ｋビット／秒および６４ｋビット／秒である。
スイッチング段階１１０は、第１のモデム３１（この場合、中央モジュール３３が発呼側モジュールで、被呼側モジュールがリモートモジュール３７）を備えた電話加入者、ならびに第２のモデム３８（この場合、被呼側モジュールが中央モジュール３３で、発呼側モジュールがリモートモジュール３７）を備えた電話加入者によって開始された呼のために実施できることに留意することが重要である。
【００６３】
ビットレートスイッチング要件を示し、ビットレートスイッチング段階１１０を開始することが、モデム３１、３８のうちの１つの応答信号の特徴である。
ここで、図４の簡単なタイミング図を使用して、スイッチング段階１１０の特定モードの実施について説明する。
以下では、伝送特性をネゴシエーションする第４ステップ１８の出現を提起するように、発呼側モジュールが肯定応答信号を送信すると想定される。
リモートモジュール３７は被呼側モジュールである（したがって中央モジュール３３が発呼側モジュールである）とも想定される。
最終的に、応答信号は２次ビットレート要件を示す信号であると想定される。
【００６４】
ここで、伝送システム３０のエコー抑制器およびエコー消去器を非活動状態にしなければならない場合について考えてみる。
示された４つのタイミング図は、それぞれリモートモジュール３７、中央モジュール３３、第１セクション３４、および第２セクション３６に関する。
中央モジュール３３とリモートモジュール３７との間の呼は、第１の伝送チャネル上であらかじめセットアップされていると想定される。
時刻ｔ１で、リモートモジュール３７は中央モジュール３３への応答信号の送信を開始し、それと同時にタイムラグを起動する。
【００６５】
中央モジュール３３（参照番号４１１の矢印）は、第１の所定期間４２１（時刻ｔ１を起点として最高２００ミリ秒に等しい）が終了する前に、時刻ｔ２で応答信号を検出する。この時刻ｔ２を起点として、伝送システム３０のエコー抑制器は、中央モジュール３３内の４２０、ならびに第１セクション３４および第２セクション３６内の４４０でも、非活動状態にされる。この時刻ｔ２以後、中央モジュール３３は、マスク期間４３１の間に肯定応答信号をマスクするためのマスクステップ１１１を送信する。このマスクステップ１１１を実行するために、中央モジュール３３は、被呼側モジュールによって沈黙にたとえられる信号を送信する。マスク期間は、安全に動作できる余裕を残し、時刻ｔ１を起点として最高２．６秒に等しい。
【００６６】
このようにして、最悪の場合応答信号は、推奨規格Ｖ２５に従い、時刻ｔ１を起点として最低２．６秒に等しい期間４１４に、リモートモジュール３７によって送信される。
次いで、時刻ｔ２を起点として最大４７５ミリ秒に等しい第２期間（参照番号４２２）が終了するまでの、参照番号ｔ３の付けられた時刻に発生する、第１の位相反転（参照番号４１２の矢印）が検出されるのを待つ。
【００６７】
同時に、すなわち時刻ｔ３を起点として、第２の伝送チャネルが第１セクション３４内で割り振られる。この第２伝送チャネルが第１セクション３４内で使用できない場合、スイッチング段階１１０が打ち切られ、第１伝送チャネル上の呼が、伝送システム３０全体上（したがって第１セクション３４および第２セクション３６上）で保持される（２１２）。ただし、この場合、肯定応答信号をマスク解除するための動作（以下で詳細に説明）が提供されていることに留意されたい。
第１の位相反転４１２が実行されていると、同期信号の送信（期間４４１中）が、第１セクション３４を周辺モジュール３５に接続している終端から、第１セクション３４を中央モジュール３３に接続している終端までの、第２の割り振られた伝送チャネル上で起動される（２５）。この同期信号によって、第１セクション３４の両端は、スイッチングの正確な時刻を認識することができる。これはたとえば、中央モジュール３３に最も近い終端内で検出された一連の特定データ要素によって構成される。
【００６８】
次いで、中央モジュール３３は、時刻ｔ３を起点として最高４７５ミリ秒に等しい第３の期間４２３が終了するまで、参照番号ｔ４の時刻に発生する第２の位相反転（参照番号４１３の矢印）の出現を待つ。
さらに時刻ｔ４から、第２セクション３６は同時、直接、および動的（すなわち電話呼出し中）に、第１の伝送チャネルから第２の伝送チャネルへの第１のスイッチング２９を実行する（４４２）。第２の伝送チャネルが第２セクション３６内で使用できない場合、スイッチング段階１１０は取り消され、呼は伝送システム３０全体の第１の伝送チャネル上で保持される（２１２）。ただしこの場合、動作（以下で詳細に説明）は肯定応答信号をマスク解除するように計画される。
【００６９】
時刻ｔ５およびｔ４をそれぞれ起点として、中央モジュール３３および第２セクション３６は、中央モジュール３３とリモートモジュール３７の間で伝送されるデータを、ＰＣＭ（パルス符号変調）技法からＡＤＰＣＭ（適応差分パルス符号変調）符号化技法へと、符号化変調するのを停止する動作を実行する（４４２）。
第１のスイッチング動作２９がいったん完了し、同期信号を修正するためのステップ２１０が（時刻ｔ５を起点として）実行されると、中央モジュール３３は、第２のスイッチング動作２１１を構成する第１セクション３４の２つの終端の同時コミュテーションを開始する（４２４、４３２）。
【００７０】
次いで第２の伝送チャネル全体がセットアップされ、伝送システム３０全体で動作可能になる。
同時に、すなわち時刻ｔ５で、第１のスイッチング動作２９が完了すると、中央モジュール３３が同時に肯定応答信号のマスクを解除する。このマスク解除は、たとえば被呼側モジュールによって沈黙にたとえられる信号の送信を中断することにある。
最後に、第２のスイッチング動作２１１が終了すると、参照番号ｔ６の時刻に、第１セクション３４が第１の伝送チャネルを解放し（４３３）、この第１の伝送チャネルにリンクされたすべての物理資源が解放される。
【００７１】
物理資源を解放するための動作が実行されると、参照番号ｔ７の時刻に、２つのセクション３４、３６について、すでに実施され、必要であれば中央モジュール３３が実行する他の電話呼出しに再度使用できるようになった手段を、再利用することが可能である。
【図面の簡単な説明】
【図１】  中央モジュールとリモートモジュールとの間でビットレート割当てを使用して呼をセットアップするための、本発明に従った方法の特定モードの実施を示す、単純な流れ図である。
【図２】  図１に示されたビットレートスイッチング段階の、特定モードの実施を示す図である。
【図３】  図１の方法が実施可能な、２つのセクションを含む伝送システムの特定の実施形態を示す簡略図である。
【図４】  図３の伝送システムの第１と第２のセクション内で適用される、図１の方法の特定モードの実施をそれぞれ説明するために提供された、簡単なタイミング図である。
【図１】
0003792517.tif 000002
【図２】
0003792517.tif 000003
【図３】
0003792517.tif 000004
【図４】
0003792517.tif 000005